(57)【特許請求の範囲】
【請求項１】
装着者の腰まわりに固着されるベルトと、該ベルトと一体に設けられた当て板と、を備えた子守帯であって、前記当て板は前記装着者の腹部に沿うように位置決めされるとともに、該当て板に対して略平行に折り畳み可能な座板および背当て板とを有しており、前記当て板に対して略平行に折り畳み状態にある前記座板と前記背当て板とが引き出し動作によって前記当て板から離反して腰掛け部を形成し、一方、折り畳み動作によって、前記腰掛け部の形成状態から前記座板と前記背当て板とが前記当て板に向けて該当て板に対して略平行に折り畳まれる子守帯において、
前記当て板を支点として前記座板及び前記背当て板を所定角度に開き且つ折り畳ませるためのリンク機構を構成する連結部材を有することを特徴とする子守帯。
【請求項２】
前記子守帯において、前記座板は腰掛け部形成状態で前記当て板に対し鋭角に開くことを特徴とする請求項１記載の子守帯。
【請求項３】
前記子守帯において、前記当て板の一端を支点として前記座板の一端に係合して座板を開状態に保持するとともに係合を解除することにより折り畳み状態にするロック部材を備えたことを特徴とする請求項１又は２記載の子守帯。
【請求項４】
前記子守帯において、前記背当て板の背面に物品収納部を形成したことを特徴とする請求項１又は２記載の子守帯。
【請求項５】
前記子守帯において、前記背当て板は、該背当て板に重合わされるとともにガイド構成により引き出されて前記背当て板を延長させる可動背当て板を備えていることを特徴とする請求項１又は２記載の子守帯。
【請求項６】
前記子守帯において、前記座板は、該座板に載せられる前記乳幼児の脚間隔を小にする括れ部分が形成されたことを特徴とする請求項１又は２記載の子守帯。
【発明の詳細な説明】
【０００１】
【発明の属する技術分野】
本発明は、母親などが乳幼児を抱く際に使用される子守帯に関し、特に使用する場合は身体の前面において乳幼児を腰掛けさせて抱き、不使用時には被覆部材に収容して腰部に係止するように構成した子守帯に関する。
【０００２】
【従来の技術】
現在では、子守の際に乳幼児をおぶわずに子守帯を用いて身体の前面で抱くことが多い。このような子守帯の一例が特開平９−１３５７５２号公報に「乳幼児保持具」として開示されている。以下、図１９〜図２１を参照して、この従来の乳幼児保持具の概要を説明する。乳幼児保持具９１は、母親などの着用者９２の腰のまわりに装着される腰ベルト９３と、乳幼児９４の臀部を受ける座面９５を形成するものであり、腰ベルト９３に取り付けられかつ着用者９２の下腹部から張り出すように位置される保持台９６を備えている。また、保持台９６には、座面９５から立ち上がるパッド壁９７が設けられている。
【０００３】
乳幼児保持具９１を用いて子守を行う場合は、図２１に示すように腰ベルト９３を腰の回りに掛けて保持台９６を腹部に固着する。そして、図２０に示すように座面９６からパッド壁９７を立てる。パッド壁９７の正面形状は略Ｔ字型であり、座面９６との角度は略１００°程度に設定されている。
この状態で図２１に示すように保持台９６上に乳幼児９４を跨がせ、バッグ９８内に収納されているサポートベルト９９を出して乳幼児９４の背中から着用者９２の肩に掛け回して、乳幼児９４の背中をパッド壁９７とともに押さえる。
【０００４】
【発明が解決しようとする課題】
前記乳幼児保持具９１の構成では、子守帯を使用しない場合、パッド壁９７は座面９５の上面に折られるだけであり、それ以上に小型化することはできない。従って、乳幼児保持具９１を腰のまわりに装着している間は、乳幼児９４を抱くか抱かないかの如何に関わらず、パッド壁９７の高さに応じて大きく嵩ばる突起物が着用者９２の腰のまわりに存在することになる。このため、着用者は乳幼児９４を抱いていない場合であっても腰のまわりに違和感を感じるうえに、行動が束縛され不便である。
【０００５】
また、座面９５はほぼ水平であり、座面９５に対してパッド壁９７はほぼ垂直に立てられる。このため乳幼児９４がパッド壁９７に背もたれのように寄り掛かると、背面側に反り返る姿勢になってしまい、そのままでは脱落の危険がある。この脱落を防止するためにサポートベルト９９を利用するが、それだけでは乳幼児の保持が十分とはいえず、少なくとも着用者の片手で乳幼児９４の背中を軽く押さえ、着用者９２側に押さえ込む必要がある。しかし、片手を常に乳幼児９４の背中に当てておくため、着用者９２は行動が制限され不便である。
【０００６】
また、座面９５から腰ベルト９３が引き出される位置は、座面９５に跨がった乳幼児９４の両足を下げる位置に相当するが、この位置は図１９及び図２０に示すように幅広になっている。このため、乳幼児９４によっては、両足を無理に左右に大きく広げる必要があり、長時間にわたって使用する場合は乳幼児に負担をかけることとなり、不快になったり、鬱血やＯ脚になる可能性が存在した。
【０００７】
本発明は前記問題点を解消するものであり、その目的は不使用時にはコンパクトに折り畳むことができ、乳幼児を抱く場合はホールド性に優れた子守帯を提供することにある。
【０００８】
【課題を解決するための手段】
上記目的を達成するため、請求項１記載の子守帯の発明は、装着者の腰まわりに固着されるベルトと、該ベルトと一体に設けられた当て板と、を備えた子守帯であって、前記当て板は前記装着者の腹部に沿うように位置決めされるとともに、該当て板に対して略平行に折り畳み可能な座板および背当て板とを有しており、前記当て板に対して略平行に折り畳み状態にある前記座板と前記背当て板とが引き出し動作によって前記当て板から離反して腰掛け部を形成し、一方、折り畳み動作によって、前記腰掛け部の形成状態から前記座板と前記背当て板とが前記当て板に向けて該当て板に対して略平行に折り畳まれる子守帯において、前記当て板を支点として前記座板及び前記背当て板を所定角度に開き且つ折り畳ませるためのリンク機構を構成する連結部材を有することを特徴としている。
以上の構成により、乳幼児を子守りする場合は、当て板に対して略平行に折り畳まれた状態から座板と背当て板を引き出して腰掛け部を形成して使用し、使用しない場合は当て板に対して略平行に折り畳んで小型化することができる。
また、前記座板や背当て板の折り畳みや組み立てが簡単になる。
【０００９】
また、請求項２記載の発明は、請求項１記載の子守帯において、前記座板が腰掛け部形成状態で前記当て板に対し鋭角に開くことを特徴としている。このようにすることにより、乳幼児が前傾姿勢となり常に母親に抱きつく状態に置かれることとなり、脱落し難くなる等の安全性が向上する。
さらに、請求項３記載の発明は、請求項１又は２記載の子守帯において、前記当て板の一端を支点として前記座板の一端に係合して座板を開状態に保持するとともに係合を解除することにより折り畳み状態にするロック部材を備えたことを特徴としている。このようにすることにより、ロック解除紐を引くことにより、係合を解除して簡単に折り畳むことができる。
また、請求項４記載の発明は、請求項１又は２記載の子守帯において、前記背当て板の背面に物品収納部を形成したことを特徴としている。このようにすることにより、座板及び前記背当て板を折り畳んだ場合不使用の肩ベルトなどの物品をこの物品収納部に収納することができるので、長尺の肩ベルトなどが剥き出しにならず取り扱いが便利となる。また、テッシュペーパーなどの小物もここに収納することができるので、乳幼児を抱いた状態で小物が簡単に取り出すことができる。
また、請求項５記載の発明は、請求項１又は２記載の子守帯において、前記背当て板が、該背当て板に重合わされるとともにガイド構成により引き出されて前記背当て板を延長させる可動背当て板を備えていることを特徴としている。このようにすることにより、背当て部を縮めて乳幼児を簡単に載せることができ、乳幼児を載せた後、乳幼児に最適な位置にまで背当て部を伸長することができるので便利である。
さらに、請求項６記載の発明は、請求項１又は２記載の子守帯において、前記座板が、該座板に載せられる前記乳幼児の脚間隔を小にする括れ部分が形成されたことを特徴としている。このようにすることにより、乳幼児の両足を左右に大きく広げる必要がなく、乳幼児の姿勢を楽にして子守りすることができ、鬱血したり、Ｏ脚になる可能性が小さくなる。
【００１０】
【発明の実施の形態】
次に、図１〜図１８を参照して本発明に係る子守帯実施形態を説明する。図１は子守帯の外観構成を示す斜視図である。図中符号１は子守帯であり、この子守帯１は、当て板３２（図１０参照）を包む当て板収納部２と、この当て板収納部２の両側から延び、例えば母親などの子守をする者（以下、装着者という）３（図２参照）の腰部に巻回されるベルト４と、このベルト４の端部を着脱するベルトバックル５と、腰部のうちの背面側等に当てつける幅広の腰パッド６と、使用時に前記当て板収納部２から引き離される座部７と、この座部７から立ち上げられ、この座部７に座った幼児の背もたれとなる背当て部８と、この背当て部８の上部の両側から引き出される肩ベルト９と、この肩ベルト９に設けられた肩パッド１１と、肩ベルト９の両端を固着するラダー１２等を備えている。
【００１１】
また、図１７において背当て部８の背面に物品収納部７５を形成し、その物品収納部７５の上端に開閉ファスナー１４を設けるとともに、物品収納部７５の下端に背面ファスナ１５を設けている。さらに、背当て部８の上側に布製のフラップ１３の一端が縫い付けられ、そのフラップ１３の他端は自由端になっており、この他端側に面ファスナ１６が縫着されている。そして、子守帯１が使用される場合は、座部７や背当て部８が後述するように組み立てられたあと、物品収納部７５の上端を開閉するファスナ１４を開けて中に収納されている肩ベルト９等を引き出して肩に掛けるとともに、開状態になっているファスナ１４を前記フラップ１３で覆って、フラップ１３の前記面ファスナ１６で物品収納部７５の下端の背面ファスナ１５を係止する。このフラップ１３によって、ファスナ１４の一部を覆うことができ、見栄えを良くすることができる。
【００１２】
一方、子守帯１を使用しない場合は、図８に示すように肩ベルト９等は背当て部８の背面に形成された物品収納部７５（図１７参照）に収納した後、座部７と背当て部８を当て板収納部２に向けてこれと略平行に折り畳むことにより偏平形状にすることができ、不使用時の小型化を図ることができる。この場合、背当て部８の上側の布製のフラップ１３は背当て部８の背面に沿って下降させ、当て板収納部２の背面に設けた面ファスナ１７に面ファスナ１６で係止する。
座部７の裏面には、ロック解除紐２１の一端が引き出し可能に露呈している。このロック解除紐２１は、これを前方に引き出すことによって座部７や背当て部８を折り畳むためのものであり、この折り畳み機構については後述する。
【００１３】
次に、子守帯１の使用形態について順次説明する。第１の使用形態は肩ベルト９を使用しない使用形態で、図２に示すようにベルト４を腰部に巻くとともに、当て板収納部２から矢印Ａに示すように座部７を回動させながら背当て部８を矢印Ｂに示すように起こすと腰掛け部が組み立て上がる。肩ベルト９等を使用しない時は、この肩ベルト９を背当て部８の物品収納部７５（図１７参照）内に収納し、ファスナ１４で閉じておく。なお、背当て部８の物品収納部７５については図１７を参照して後述する。フラップ１３を、図２中の円内に示すように背当て部８の背面に沿って下降させて当て板収納部２の背面に設けた面ファスナ１７に面ファスナ１６で係止する。
【００１４】
第２の使用形態は、肩ベルト９を使用する使用形態で、図３に示すようにベルト４を腰部に巻くとともに、背当て部８の物品収納部７５（図１７参照）から肩ベルト９を出して装着者３の肩に掛けるものである。この場合、肩ベルト９間に橋渡すようにして設けた背ベルト９Ａは、幼児２２の背中を押さえるようになり、安全である。
【００１５】
上記第１および第２の使用形態は、共に、乳幼児の座らせ方に２通り考えられる。１つは乳幼児を装着者に向かい合わせで座らせるもの（Ａタイプ）、もう１つは乳幼児を装着者に背を向けて座らせるもの（Ｂタイプ）である。第１の使用形態は特に乳児の子守りに向いており、運動に自由度のある第２の使用形態は幼児の子守りに向いているといえる。また、乳幼児を装着者の方向に向けて座らせるＡタイプは、乳幼児が眠くなって装着者に寄り添って眠るような時に向いており、装着者に背を向けて乳幼児を座らせるものＢタイプは、乳幼児に歩行前方の広い視界を楽しませるときに向いているといえる。
図３は、上記第２の使用形態におけるＡタイプを示しており、一方、図４は、上記第２の使用形態におけるＢタイプを示している。
また、図５と図６は、それぞれ上記第１の使用形態におけるＡタイプとＢタイプを示している。
本発明による子守帯は、このように４通りの使い方ができ、しかも従来のものと比べて安全で、取扱いが簡単である。
【００１６】
背当て部８は、図７に模式的に示したように、座部７に対して上下に位置調整できるようになっている。この調節機構については後述するが、これは乳幼児の大きさに応じて調整でき、また、乳幼児を持ち上げてここに座らせる際には最下部にしておくと座らせ易いので、このように上下に位置調整できるようになっている。そして、前記いずれの使用形態にあっても、装着者３の腰部に負担がかからないように図９に示すように腰部に腰パッド６が当て付けられている。
【００１７】
以上の使用形態から明らかなように、子守帯１は不使用時には偏平状に折り畳むことができ、折り畳み状態から幼児２２を座らせ得るように組み立てられ、組み立て形態や幼児２２の座らせ方・支え方も多岐にわたる。
このような種々の機能は、次に説明する連結基板３１やそれを覆う部材の構成によって得られる。
【００１８】
連結基板３１は、本発明の子守帯１の骨格をなすものであり、ポリプロピレンやポリアミド等の合成樹脂を成型したものである。その構成は図１０に示すように、収納部３内に収納されて装着者３の腹部に当てつけられる当て板３２、座部７を構成する座板３３、背当て部８を構成する背当て板３４に大別される。
当て板３２と座板３３とは、連結ピン３５により蝶番状に連結されているが、連結ピン３５は当て板３２に設けた軸受部３６と、座板３３に設けた軸受部３７とを交互に挿通している。当て板３２の中央上部には、連結部材３８の一端を回動自在に連結する連結軸受部３９が設けられている。
【００１９】
連結部材３８の一端は連結ピン４１を介して連結軸受部３９に回動自在に取付けられ、他端は背当て板３４の下端に回動自在に取付られている。連結軸受部３９の両側には、ベルト４の両端部を固定する凹状の固定部４２Ａ、４２Ｂが設けられ、その外側には引き出し枠４３Ａ、４３Ｂが設けられている。
当て板３２は、装着者３の腹部等に当て付けられるものであるから、横方向に緩く弓なりに形成され、下端はスリット４４により短冊状に形成されている。したがって、当て板３２の下部は弾性を有するようになり、装着者の腹部の体型の如何に関わらずフィットし、違和感を感じることがなくなる。
【００２０】
座板３３は、幼児２２の臀部を載せるものであり、その平面形状は図１８に示すように楕円形に近い板体である。しかし、座わり心地を良好にするため中央部がやや窪んだ形状に形成されている。この窪み形状は、底面に形成した補強リブ４５（図１０参照）の高さ変化によって理解できる。座板３３の上端には軸受部４６が設けられ、軸受部４６を挿通した連結ピン４７により、背当て部３４が回動自在に取り付けられる。
【００２１】
背当て板３４は、図１２に示すように板体を側面Ｊ字形に形成したものであり、下端が連結ピン４８によって前記連結部材３８の他端に回動自在に取付られている。図１１に示すように、背当て板３４の上部は、可動背当て板５１を上下方向にスライドさせるガイド部３４Ａを構成している。ガイド部３４Ａには、縦方向に２条のガイド溝５２が形成され、各ガイド溝５２の上下に、ガイド溝５２の幅を狭めるようにして係止突起５２Ａ、５２Ｂが形成されている。係止突起５２Ａ、５２Ｂの形成位置の両側には、係止突起５２Ａ、５２Ｂに弾性を付与するためのスリット５３が形成されている。したがって、係止突起５２Ａ、５２Ｂの近傍部は、弾性を有するようになる。
各ガイド溝５２、５２の上部位置には、図１１及び図１２に示すようにガイド突起５４、５４が設けられている。ガイド突起５４は、図１３に示す可動背当て板５１に形成したガイド溝５５、５５に嵌合されて、背当て板３４に対する可動背当て板５１のガイドと位置決めを行うものである。このガイド及び係止作用等については、後に詳細に説明する。
【００２２】
可動背当て板５１は、図７に示したように背当て部８を上下に移動、換言すれば伸縮させるためのものである。可動背当て板５１は、図１３及び図１４に示すように板状であるが、幼児２２の背にフィットし易いように緩く湾曲した形状になっている。
可動背当て板５１には、図１３に示すように縦方向に２条のガイド溝５５が形成され、各ガイド溝５５の上下に、ガイド溝５５の幅を狭めるようにして係止突起５５Ａ、５５Ｂが形成され、その両側には係止突起５５Ａ、５５Ｂに弾性を付与するためのスリット５６が形成されている。したがって、係止突起５５Ａ、５５Ｂの近傍部は弾性を有するようになる。
ガイド溝５５の下部位置には、図１３及び図１４に示すようにガイド突起５７が設けられている。ガイド突起５７は、前記可動背当て板５１に形成したガイド溝５２に嵌合されて、背当て板３４に対する可動背当て板５１のガイドと位置決めを行うものである。
なお、ガイド溝５５の両外側には、使用形態について説明した肩ベルト９を固定するための固定部５８Ａ、５８Ｂが設けられている。
【００２３】
背当て板３４に可動背当て板５１を組付ける場合は、図１０及び図１５に示すように背当て板３４の内側（装着者３の方向）上部に可動背当て板５１の下部を重ねる。そして、背当て板３４のガイド突起５４（図１１参照）を可動背当て板５１のガイド溝５５に挿入し、可動背当て板５１のガイド突起５７（図１３参照）を背当て板３４のガイド溝５２に挿入する。次に、各ガイド突起５４、５７に図１０に示すようにワッシャ及びネジ５９を螺合させることにより、抜け出しが規制される。
この結果、可動背当て板５１を下方に押し込んだ場合は、ガイド突起５７がガイド溝５２に形成した係止突起５２Ｂを乗り越え、ガイド突起５４はガイド溝５５に形成した係止突起５５Ａを乗り越えるので、背当て板３４と可動背当て板５１とが重なり、図５に示した使用形態になる。乳幼児を下から持ち上げて座部に座らせる時、このような可動背当て板５１を下方に押し込んだ状態で行えば簡単に座部に座らせることができる。
【００２４】
一方、可動背当て板５１を上方に引き上げると、ガイド突起５７が係止突起５２Ｂ、５２Ａを乗り越えるとともに、ガイド突起５４が係止突起５５Ａ、５５Ｂを乗り越えて位置決めされる。この状態を側面から見ると、図１０に示すとおりであり、図３等に示した使用形態になる。
因みに、連結基板３１の材質について例示すると、当て板３２はポリプロピレン、背当て板３４、可動背当て板５１はポリプロピレンより復元力のあるナイロン、ロック部材６１にはポリアセタール、スポンジ６５として説明した部材にはポリウレタン等が適用されている。但し、前記材質に限定されるものではなく、他の代替品に変えることができる。
【００２５】
次に、連結基板３１の折り畳み等の作用について説明する。
連結基板３１を組み立てた状態では、連結部材３８に設けたロック部材６１が図１５の中央切欠部に示すように座板３３の底面に形成した係合突起６２の下部に係合している。ロック部材６１は、連結ピン４１を中心に回動するように形成され、当て板３２の一端とに固定されたバネ６３によって常に図１５中連結ピン４１を中心として時計方向に付勢されている。
この構成では、座板３３に対し自重によって連結ピン３５を中心に半時計方向に回動しようとする力が作用している。しかし、ロック部材６１がバネ６３によって時計方向に引かれ、図示の如く係合突起６２の下部に当接している状態では、座板３３の重み（幼児２２を載せている場合は幼児２２の体重が加算される）はロック部材６１に掛かり、ロック部材６１は連結ピン４１により前記重みを受ける。したがって、座板３３は幼児２２を載せても回動せず、安全に幼児２２を抱き続けることができる。
【００２６】
ところで、ロック部材６１の上部には、ロック解除紐２１の一端が係止されている。したがって、ロック解除紐２１を図１５の左方に引くと、ロック部材６１がバネ６３の引っ張り力に抗して図中半時計方向に回動することになる。この結果、座板３３の係合突起６２とロック部材６１との係合状態が解除されて、座板３３や背当て板３４が連結部材３８を含むリンク機構によって、図１５に実線で示す状態から想像線で示すように折り畳まれるようになる。
想像線で示した状態から更に折り畳みを継続すると、最終的に図１６に示すように当て板３２、座板３３、背当て板３４が完全に重なるようになり、全体としてコンパクトな形状に変化する。
【００２７】
一方、折り畳み状態（図１６参照）から組み立てる場合は、背当て板３４等を手指で掴み、上方に引き上げるようにする。この結果、図１５に示すように開かれ、更に引き上げるとロック部材６１がバネ６３の引っ張り力により、係合突起６２の下部に自動的に入り込む。座板３３は安定化され、その上に幼児２２を載せて安全に抱くことができる。
図２２にリンク機構の１実施例が示されている。図２２において、ほぼ鉛直に置かれる当て板に、黒丸で示す連結ピン４１でリンク機構のアームＬ１、Ｌ２、Ｌ３、Ｌ４のうちのアームＬ１とＬ２が係止され、他のアームのＬ１とＬ２が連結ピン３５で、Ｌ３とＬ４が連結ピン４７で、Ｌ４とＬ３が連結ピン４８で互いに回動可能に結合されている。アームＬ２の上に座面が形成されている。アームＬ１、Ｌ２、Ｌ３、Ｌ４の寸法はそれぞれ２４．４ｍｍ、８３．６ｍｍ、７８．７ｍｍ、２６．８ｍｍで、当て板とアームＬ１との角度は７．５°、当て板と座面との角度は４３．６°となっている。すなわち、乳幼児が座る座面は従来例のように当て板に対して直角ではなく、本発明によれば４３．６°とかなり鋭角に形成されている。このことにより、乳幼児が座面に座ると自然に前傾姿勢になって母親に抱きつく状態に置かれ、従来と比べて著しく安全となる。
【００２８】
次に、前記連結基板３１とカバーについて説明する。連結基板３１を構成する各部材には、図１５に示すようにスポンジ６５が貼付されている。そして、連結基板３１とスポンジ６５等の周囲を布等の軟性材料により覆い、図１に示した子守帯１を完成する。
図１７は、子守帯１の構成を模式的に示したものであり、連結基板３１を構成する各部材は板状に図示して同一符号を付してある。当て板収納部２は、当て板３２とスポンジ６５とを当て板収納部７１によって覆った構成になっている。当て板収納部７１は合繊等の布製で実現できる。また、当て板収納部７１の装着者側の下方には面ファスナ１７が設けられている。そして、当て板収納部７１の上部に孔７１１が形成され、この孔７１１を通してロック解除紐２１が引き出されている。
【００２９】
座部７は、座板３３や連結部材３８、スポンジ６５を布製の被覆部材７２で覆った構成になっている。また、背当て部８は、背当て板３４や可動背当て板５１、スポンジ６５を布製の被覆部材７３によって覆った構成になっている。被覆部材７３に物品収納部７５が縫着されており、上部にはファスナ１４が設けられている。この物品収納部７５に不使用時の肩ベルト９や、テッシュペーパー等の小物、財布等を収納すると便利である。
また、被覆部材７３の上部にはフラップ１３が縫い付けられ、物品収納部７５を覆ってフラップ１３に設けられた面ファスナ１６が物品収納部７５の面ファスナ１５に係止できるようになっている。
【００３０】
連結部材３１は、先に説明したように折り畳まれるが、折り畳み時には座部７と背当て部８とが当て板収納部２近くに当て板収納部２対して平行に畳まれる。この際、フラップ１３は上部に位置したままであるから、フラップ１３の面ファスナ１６を当て板収納部７１に設けられた面ファスナ１７に係止させることができる。この使用形態は、図８について説明したとおりである。
【００３１】
更に注目すべきことは、座板３３の平面形状が図１８に示すように略楕円形に形成され、図１８の下側部分、即ち乳幼児２２を座らせた時に膝から下げる部分Ｐが括（えぐ）れ形状に形成されていることである。このため、乳幼児２２の両足が従来のように無理に広げられることがなく、乳幼児２２が無理な姿勢にならない。したがって、前記座部７の傾斜と相まって、乳幼児２２を疲れることなく、楽な姿勢で、しかも落下等の危険がなく抱き続けることができる。
【００３２】
以上に本発明の実施形態を説明したが、本発明は前記実施形態に限定されず種々の変形が可能である。例えば、ロック部材６１か係合部材６２のいずれかに段差を形成し、座板３３の傾斜角度を複数段に設定することもできる。
【００３３】
【発明の効果】
本発明に係る子守帯は、下記のような種々の効果を有する。
（１）乳幼児を子守りする場合は、当て板に対して略平行に折り畳まれた状態から座板と背当て板を引き出して腰掛け部を形成して使用し、使用しない場合は当て板に対して略平行に折り畳んで小型化することができる。
（２）乳幼児が前傾姿勢となり常に母親に抱きつく状態に置かれることとなり、脱落し難くなる等の安全性が向上する。
（３）前記座板や背当て板の折り畳みや、組み立てが簡単になる。
（４）ロック解除紐を引くことにより、係合を解除して簡単に折り畳むことができる。
（５）座板及び前記背当て板を折り畳んだ場合不使用の肩ベルトなどの物品をこの物品収納部に収納することができるので、長尺の肩ベルトなどが剥き出しにならず取り扱いが便利となる。また、テッシュペーパーなどの小物もここに収納することができるので、乳幼児を抱いた状態で小物が簡単に取り出すことができる。
（６）背当て部を縮めて乳幼児を簡単に載せることができ、乳幼児を載せた後、乳幼児に最適な位置にまで背当て部を伸長することができるので便利である。
（７）当て板にスリットを形成して柔軟性を持たせたので、装着者の腹部の体型の如何に関わらずフィットし、違和感を感じることがなくなる。
（８）乳幼児の両足を左右に大きく広げる必要がなく、乳幼児の姿勢を楽にして子守りすることができ、鬱血したり、Ｏ脚になる可能性が小さくなる。
【図面の簡単な説明】
【図１】本発明に係る子守帯の外観構成を示す斜視図である。
【図２】子守帯の第１の使用形態を示す斜視図である。
【図３】子守帯の第２の使用形態のＡタイプを示す斜視図である。
【図４】子守帯の第２の使用形態のＢタイプを示す斜視図である。
【図５】子守帯の第１の使用形態のＡタイプを示す斜視図である。
【図６】子守帯の第１の使用形態のＢタイプを示す斜視図である。
【図７】背当て部の伸縮を示す模式的説明図である。
【図８】背当て部等を収納部に収納した状態を示す斜視図である。
【図９】腰パッドの形態を示す斜視図である。
【図１０】連結基板の構成を示す斜視図である。
【図１１】背当て板の構成を示す側面図である。
【図１２】背当て板の構成を示す他の側面図である。
【図１３】可動背当て板の構成を示す側面図である。
【図１４】可動背当て板の構成を示す他の側面図である。
【図１５】連結基板の折り畳み作用を示す一部切り欠き側面図である。
【図１６】連結基板の折り畳み形態を示す側面図である。
【図１７】子守帯の構造を模式的に示す断面図である。
【図１８】座板の構成を示す平面図である。
【図１９】従来の乳幼児用保持具の構成を示す斜視図である。
【図２０】パッド壁を立てた状態を立てた状態を示す斜視である。
【図２１】乳幼児保持具の使用形態を示す斜視図図である。
【図２２】本発明のリンク機構の１実施例図である。
【符号の説明】
１  子守帯
２  収納部
３  装着者
４  ベルト
６  腰パッド
７  座部
８  背当て部
１３  フラップ
１５、１６、１７  面ファスナ
２１  ロック解除紐
２２  乳幼児
３１  連結基板
３２  当て板
３３  座板
３４  背当て板
３５、４１、４７、４８  連結ピン
３８  連結部材
５１  可動背当て板
５２、５５  ガイド溝
５４、５７  ガイド突起
６１  ロック部材
６２  係合突起
６３  バネ
７１〜７３  被覆部材
７５  物品収納部
【図１】
0004145982.tif 000002
【図２】
0004145982.tif 000003
【図３】
0004145982.tif 000004
【図４】
0004145982.tif 000005
【図５】
0004145982.tif 000006
【図６】
0004145982.tif 000007
【図７】
0004145982.tif 000008
【図８】
0004145982.tif 000009
【図９】
0004145982.tif 000010
【図１０】
0004145982.tif 000011
【図１１】
0004145982.tif 000012
【図１２】
0004145982.tif 000013
【図１３】
0004145982.tif 000014
【図１４】
0004145982.tif 000015
【図１５】
0004145982.tif 000016
【図１６】
0004145982.tif 000017
【図１７】
0004145982.tif 000018
【図１８】
0004145982.tif 000019
【図１９】
0004145982.tif 000020
【図２０】
0004145982.tif 000021
【図２１】
0004145982.tif 000022
【図２２】
0004145982.tif 000023